(57)【特許請求の範囲】
【請求項１】
プローブとなる荷電粒子を発生させる荷電粒子源と、  前記荷電粒子源から発生する前記荷電粒子を試料に照射する荷電粒子光学系と、  試料ステージと、  真空排気系と、  前記プローブを制限するアパーチャと、  前記試料ステージと前記アパーチャとの間の光学系の光軸を除いた位置に備えられた導電膜と、  前記導電膜の表面と検出器の感受面とが傾斜するように配置され、任意のエネルギーまたは角度にて試料から発生した電子を選択的に検出する荷電粒子検出器とを有し、  前記荷電粒子検出器の感受面と試料ステージとの距離は、前記試料ステージと前記導電膜との間の距離よりも長いことを特徴とする荷電粒子線装置。
【請求項２】
請求項１に記載の荷電粒子線装置において、前記導電膜が一次電子線の光軸と90°±10°にて配置されており、前記導電膜と前記検出器の感受面との角度が30°から150°の間であることを特徴とする荷電粒子線装置。
【請求項３】
請求項１に記載の荷電粒子線装置において、前記導電膜が一次電子線の光軸と100°から150°の角度で配置されており、前記導電膜と前記検出器の感受面との角度が30°から150°の間であることを特徴とする荷電粒子線装置。
【請求項４】
請求項１に記載の荷電粒子線装置において、試料から発生する二次粒子のうち、前記導電膜を通過するもので、通過の際の軌道の角度変化が±10°以下の変化に収まる二次粒子が、前記検出器の感受面に当たらないように前記導電膜、前記検出器が配置されていることを特徴とする荷電粒子線装置。
【請求項５】
請求項１に記載の荷電粒子線装置において、前記導電膜の厚みが10−50000 nmであることを特徴とする荷電粒子線装置。
【請求項６】
請求項１に記載の荷電粒子線装置において、プローブとなる荷電粒子が試料に当たることで前記試料から発生する荷電粒子が移動する軌道上に前記導電膜を配置したことを特徴とする荷電粒子線装置。
【請求項７】
請求項１に記載の荷電粒子線装置において、プローブとなる荷電粒子が試料に当たることで前記試料から発生する荷電粒子が原因となり、前記導電膜の試料とは反対の面から発生する荷電粒子を前記荷電粒子検出器により検出することを特徴とする荷電粒子線装置。
【請求項８】
請求項１に記載の荷電粒子線装置において、プローブとなる荷電粒子が電子であることを特徴とする荷電粒子線装置。
【請求項９】
請求項１に記載の荷電粒子線装置が走査電子顕微鏡であることを特徴とする荷電粒子線装置。
【請求項１０】
請求項１に記載の荷電粒子線装置が走査電子顕微鏡であり、前記導電膜と荷電粒子検出器の組み合わせが一組ないし複数組、光軸上に配置されていることを特徴とする荷電粒子線装置。
【請求項１１】
請求項１に記載の荷電粒子線装置が走査電子顕微鏡であり、前記導電膜と荷電粒子検出器の組み合わせが一組ないし複数組、光軸外に配置されていることを特徴とする荷電粒子線装置。
【請求項１２】
請求項１に記載の荷電粒子線装置が走査電子顕微鏡であり、前記導電膜と荷電粒子検出器の間の空間に前記導電膜の試料とは反対の面から発生する荷電粒子を前記荷電粒子検出器の方向に導く電界ないし磁界を供給する手段を備えた荷電粒子線装置。
【請求項１３】
請求項１に記載の荷電粒子線装置において、プローブとなる荷電粒子が試料に当たることで前記試料から発生する荷電粒子の軌道上に異なる厚みの前記導電膜を導入する手段を備えた荷電粒子線装置。
【発明の詳細な説明】
【技術分野】
【０００１】
本発明は、荷電粒子線装置に係り、特に、典型的には1 kVから200 kVの加速電圧で加速した電子線をプローブとし、試料より発生する二次粒子を検出することで試料表面の情報を得る荷電粒子線装置において、検出する電子のエネルギーに関して効果的かつ簡便にバンドパス弁別して検出する技術に関する。
【背景技術】
【０００２】
荷電粒子をプローブとして試料上に照射し、それに伴って試料より発生する二次粒子、もしくは透過した荷電粒子を検出し、検出された強度からプローブ照射位置に関する情報を得る荷電粒子線装置において、前記荷電粒子のエネルギーを選択して検出することで特定の情報を得る手法が多く提示されている。【０００３】
特に電子線プローブを試料上で二次元的に走査して走査領域の二次元画像を得る走査電子顕微鏡においては、試料から発生する信号電子のエネルギーを弁別して検出する手法が多く提示されている。【０００４】
信号電子がエネルギーによって異なる軌道を描くことを利用した手法としては、特定エネルギーの電子のみが検出される位置に検出器の感受面を設ける特開2004-221089(出願人：レオ・エレクトロネンミクロスコピー・ゲーエムベーハー)、特開2002-110079(出願人：株式会社日立製作所)のような手法が提示されている。【０００５】
信号電子の軌道がエネルギーによって変化しない場合に、試料と検出器の感受面の間隙に特定エネルギー以下の電子を遮蔽する電界を供給する負の電圧を印加した多孔の板状電極(メッシュ電極)を用いる手法としては、特開平11-242941(出願人：株式会社日立製作所)、WO99/46798(出願人株式会社日立製作所)のような手法が提示されている。【０００６】
ただし、これら全ての手法はハイパス検出、もしくはローパス検出を行うための手法であり、例えば、一次電子線の照射エネルギーが30 keVのとき、1 keVから30 keVのエネルギー幅を持つ信号電子のうち、10 keVから20 keVのエネルギーの電子のみを強調して検出するようなバンドパス検出を行うことは不可能だった。【０００７】
バンドパス検出を行う手法としては、複数のメッシュ電極に段階的に異なる電圧を印加して電極間に多段の電界障壁を作り、各電位障壁内にエネルギーバンドパス選択された信号電子を閉じ込めて検出する手法が各種提示されている。【０００８】
特開平10-188883(出願人：株式会社島津製作所)では、バンドパス選択された信号電子を電流信号として各メッシュ電極からフローティングアンプを介して検出する手法が提示されている。また、特開2006-114426(出願人：株式会社日立製作所)では、バンドパス選択された信号電子を、メッシュ電極の間隙に設けられた電子検出器によって検出する手法が提示されている。【０００９】
ただし、これらの手法ではメッシュ電極を用いることによる電界の不均一性や電極による立体障害が問題となり、効率的な検出は期待できない。また、両者ともに遮蔽電界を供給するための高電圧電源が複数必要になり、さらに適切な静電耐圧を持たせるための工夫が必要となるため、簡便な検出器構成とはなっていない。【００１０】
特開平11-160438(出願人：エルマール・テクノロジーズ・リミテッド)では、電子検出器であるMCP(マイクロ・チャンネル・プレート)検出器の感受面と試料との間に薄膜を設ける手法が提示されている。この目的は、300 eV程度の低エネルギーで感度が最大となるMCPにおいても、高エネルギー電子を効率的に検出することである。薄膜により高エネルギー電子はエネルギー減衰されてMCP感受面側から透過する。または高エネルギー電子は薄膜のMCP感受面側で極低エネルギー(< 100 eV)の副次電子に変換される。これにより、変換後の極低エネルギー電子を高感度で検出することで高エネルギー電子がMCPで効果的に検出できるとされる。【００１１】
この手法によれば、薄膜の膜厚を適切に選び、所望のエネルギーの電子がちょうど300 eV程度に変換されるようにすればバンドパス検出が可能になると予想されるが、エネルギーがほとんど減衰しないほど高エネルギー電子がMCP表面でつくる極低エネルギー電子も検出してしまうため、結局のところハイパスフィルタとしての効果しか期待されず、高エネルギー電子を検出しないことで達成されるバンドパス検出は不可能であると予想される。
【先行技術文献】
【特許文献】
【００１２】
【特許文献１】特開2004-221089号公報
【特許文献２】特開2002-110079号公報
【特許文献３】特開平11-242941号公報
【特許文献４】WO99/46798号公報
【特許文献５】特開平10-188883号公報
【特許文献６】特開2006-114426号公報
【特許文献７】特開平11-160438号公報
【発明の概要】
【発明が解決しようとする課題】
【００１３】
先に示した先行特許文献１−７に開示された技術では、上記のように、いずれにおいても簡便で高効率な電子のバンドパス検出は困難であった。【００１４】
本発明では、典型的には1 kVから200 kVで加速された一次電子線をプローブとして用いる走査電子顕微鏡において試料から発生する1 keV以上で、かつ一次電子線の照射エネルギー以下の電子に関して、簡便で効率的な電子のエネルギーバンドパス走査電子顕微鏡画像を提供することを目的とする。
【課題を解決するための手段】
【００１５】
本発明においては、荷電粒子線装置において、試料に照射するプローブを制限するアパーチャと試料ステージの間隙に設けた導電膜と、当該導電膜に対して30 °から150 °の角度を持った感受面を持つ電子検出器との組み合わせにより上記の課題を達成する。
【発明の効果】
【００１６】
かかる構成によれば、高電圧を必要とせず、メッシュのような立体障害をもたない最小の構成で簡便で高効率なバンドパス検出が可能になる。
【図面の簡単な説明】
【００１７】
【図１−１】本発明のバンドパス検出器の基本構成を示す図。
【図１−２】本発明のバンドパス検出器の基本構成を示す図。
【図１−３】本発明のバンドパス検出器の基本構成を示す図。
【図１−４】本発明のバンドパス検出器の基本構成を示す図。
【図２】第一の実施例の走査電子顕微鏡を示す図。
【図３】第二の実施例の走査電子顕微鏡を示す図。
【図４】第三の実施例の走査電子顕微鏡を示す図。
【図５】第四の実施例の走査電子顕微鏡を示す図。
【図６】第五の実施例の走査電子顕微鏡を示す図。
【図７】第六の実施例の走査電子顕微鏡を示す図。
【図８】第七の実施例の走査電子顕微鏡を示す図。
【図９】第八の実施例の走査電子顕微鏡を示す図。
【図１０】第九の実施例の走査電子顕微鏡を示す図。
【図１１】第十の実施例の走査電子顕微鏡を示す図。
【図１２】第十一の実施例の走査電子顕微鏡を示す図。
【図１３】第十二の実施例の走査電子顕微鏡を示す図。
【図１４】第十三の実施例の走査電子顕微鏡を示す図。
【図１５】本発明のバンドパス検出器におけるバンドパス検出エネルギーの可変機構を示す図。
【図１６】本発明のバンドパス検出器における第２のバンドパス検出エネルギーの可変機構を示す図。
【図１７】第十四の実施例の低真空走査電子顕微鏡を示す図。
【図１８】第十五の実施例の低真空走査電子顕微鏡を示す図。
【図１９】第十六の実施例の低真空走査電子顕微鏡を示す図。
【発明を実施するための形態】
【００１８】
図１−１は、本発明のエネルギーバンドパス電子検出器の基本となる構成である。
以降では便宜上、1 keV以上かつ、一次電子線の照射エネルギー以下の電子のうち、バンドパス検出したい所望のエネルギーより高いエネルギーの電子を高エネルギー電子、所望のエネルギーより低いエネルギーの電子を低エネルギー電子と呼ぶ。また、100 eV以下のエネルギーの電子を極低エネルギー電子と呼ぶ。
【００１９】
10-50000 nmの厚みのアルミニウムや金などの導電膜１を信号電子５、４、７の軌道上に配置する。このとき、導電膜１は、一次電子線と±10°の尤度をもって垂直に配置する。導電膜１と試料間の距離より遠い位置には、感受面が導電膜１と30°から150°の角度(図１−１では90°)を持った電子検出器２を配置する。このとき、導電膜１は、一次電子線３を通過させるため一次電子線３の光軸は避けて配置する。
【００２０】
試料から発生した信号電子のうち、低エネルギー電子４は、導電膜中を進行する過程で全エネルギーを失い、導電膜１中の試料側の面に近い位置で停止する。このため電子検出器２では低エネルギー電子に起因する信号は検出されない。
【００２１】
所望のエネルギー電子５は、導電膜中でエネルギーを失いながらも進行し、導電膜の検出器側の面から1 keV以下の低エネルギーを持って透過する。このとき、導電膜の検出器側の面から極低エネルギー(数 eV)の電子６が発生する。一般的に知られているように、電子が打ち込まれた際に発生する極低エネルギー電子の発生率は打ち込む電子のエネルギーと打ち込まれる物質の材質に依存しており、多くの物質では打ち込む電子のエネルギーが1 keV以下のときに最大値を持つ。アルミニウムでは約500 eVの電子で極低エネルギー電子６の発生率は最大になり、約2程度であることが知られている。
【００２２】
一方、高エネルギー電子７は、導電膜中でほとんどエネルギーを失わず、導電膜をほぼ直線に近い軌道で通過する。通過の際のエネルギーが高いため、検出器側の面から発生する極低エネルギー電子は少なくなる。アルミニウムでは約10 keVの電子で極低エネルギー電子６の発生率は0.2程度であることが知られている。
【００２３】
以上より、極低エネルギー電子６を検出することで、所望のエネルギーの電子に起因する信号のみを選択的に強調して検出することができ、電子のバンドパス検出が実現される。ここで得られた信号を一次電子線３の走査に同期して画像処理端末に表示すれば、所望のエネルギーでバンドパスした電子による走査電子顕微鏡画像を得ることができる。
【００２４】
極低エネルギー電子６を検出する電子検出器２は、シンチレータ９と光電子増倍器１１およびシンチレータから発生する光子を光電子増倍管へ導くライトガイド１０を備える。ここで示した実施例では、検出器の感受面であるシンチレータ面は導電膜に対して90°の角度を持って配置される。検出器の感受面と導電膜の角度は、90°に限定されるものではなく、30°以上150°以下の範囲の角度で配置されてもよい。電子検出器のシンチレータ９の表面には二次電子を加速するため10 kV程度の正の電圧を印加する薄膜状の加速電極１２が設けられている。加速された極低エネルギー電子６はシンチレータ９にあたり、光子を発生させる。光電子増倍管１１はこの光子を電子に変換した上で高いゲインで増幅する。なお、電子検出器２は前記のような構成に限らず、例えばMCP(マイクロ・チャンネル・プレート)であってもよい。
【００２５】
加速電極１２に印加された高電圧が一次電子線３に影響を与えないようにするため、加速電極１２と一次電子線３の光軸との間には接地電位に保たれたメッシュ状の電極８を設けてもよい。メッシュ電極８の孔径は、加速電極１２が作る電界が一次電子線３に影響を及ぼさない程度に小さくする必要があるが、極低エネルギー電子６をシンチレータ９に引き込む程度には極低エネルギー電子６の発生部位である導電幕１上に電界が浸透する程度には大きくする必要がある。
【００２６】
バンドパス検出するエネルギー帯を選択するには、導電膜１の厚さを変化させればよい。例えば、導電膜がアルミニウムである場合、エネルギーが10 keVを中心とするバンドパス検出を行う場合、約1 μm程度にすればよく、20 keVを中心とするバンドパス検出を行う場合、約2.5 μm程度にすればよい。より低いエネルギーを中心としたバンドパス検出を行う場合には、導電膜の厚みをさらに薄くすればよい。
【００２７】
また、本検出器をハイパスフィルタとして用いたい場合は、最大エネルギー(一次電子線の照射エネルギーとほぼ同値)の信号電子が1 keV以下の低エネルギーにエネルギー減衰されるように導電膜１の厚みを選択すればよい。
【００２８】
なお、導電膜の検出器側の面には、極低エネルギー電子の発生効率を高めるため、100 nm以下の厚みのMgO、CsI、酸化アルミニウムなどの物質をコーティングしてもよい。
極低エネルギー電子６を検出する電子検出器２は、シンチレータ９と光電子増倍器１１およびシンチレータから発生する光子を光電子増倍管へ導くライトガイド１０を備える。
本検出器構成をバンドパスフィルタとして用いる必須の条件として、高エネルギーの電子７を直接検出しないようにしなければならない。これは導電膜１と検出器の感受面であるシンチレータ９の面の配置を工夫することで達成される。
【００２９】
図１−１で示した実施例では、導電膜は一次電子線３の光軸に対して垂直に配置され、検出器の感受面であるシンチレータ９の面は導電膜に対して90 °の角度を持って配置される。このときの注意点として、通過の際の軌道の角度変化１０１が±10°以下の変化に収まる高エネルギーの電子７が、感受面に直接はいらないようにする。このような導電膜１と感受面の配置は以降の全ての実施例についてなりたたねばならない。
【００３０】
導電膜と一次電子線３の光軸との角度や検出器の感受面と導電膜の角度は、90 °に限定されるものではない。以下では、図１−１の基本構成で、導電膜と検出器感受面の角度のバリエーションについて説明する。
【００３１】
導電膜と一次電子線の光軸との角度は、90°±10°に限定されるものではなく、例えば、100°から150°の角度であってもよい。このとき、導電膜と前記検出器の感受面との角度は30°から150°の間とする。図１−２で示した実施例では、導電膜１と一次電子線３の光軸とが120°の角度を持って配置されている。また、導電膜１と検出器の感受面であるシンチレータ９の面は60°の角度を持って配置されている。かかる構成によれば、多くの極低エネルギー電子６の初速度方向が感受面の方向を向く事になり検出効率が向上する。
【００３２】
図１−３で示した実施例では、導電膜１と一次電子線３の光軸とが120°の角度を持って配置されている。また、導電膜１と検出器の感受面であるシンチレータ９の面は90°の角度を持って配置されている。かかる構成によれば、多くの極低エネルギー電子６の初速度方向が感受面の方向を向く事になり検出効率が向上する。それに加え、透過する高エネルギーの電子７が感受面であるシンチレータ９の面に直接入りにくくなる。
【００３３】
図１−４で示した実施例では、導電膜１と一次電子線３の光軸とが90°の角度を持って配置されている。また、導電膜１と検出器の感受面であるシンチレータ９の面は120°の角度を持って配置されている。かかる構成によれば、透過する高エネルギーの電子７が感受面であるシンチレータ９の面に直接入りにくくなる。
以下では、本発明の代表的な実施例について図を用いて説明する。
【実施例１】
【００３４】
図２は、本発明の第一の実施例であり、エネルギーバンドパス電子検出器を備えた走査電子顕微鏡の全体構成を示す図である。
図２に示した走査電子顕微鏡は、大まかには、試料に対して電子線を照射するための機構を備えた電子光学鏡筒１３と、試料５０を保持する試料台４９と試料台４９を格納する試料室１４と、図示しない制御処理や各種画像処理、あるいはユーザインタフェースに関わる情報処理を行う図示しない情報処理部、および走査電子顕微鏡画像を表示する図示しない画像表示端末、画像メモリにより構成される。【００３５】
電子光学鏡筒１３は、基本的には電子源１５、第一コンデンサレンズ（Ｃ１レンズ）１６、第二コンデンサレンズ（Ｃ２レンズ）１７、二段の走査偏向器１８、対物レンズ２１等により構成される。電子源１５は典型的には電界放出型の電子源を用いる。
対物レンズ２１は、レンズの下面より下に配置された試料５０に意図的に出力磁場中を浸透させるセミインレンズ型の対物レンズであり、位置的には試料室１４の内部に配置される場合もあるが、便宜上、電子光学系鏡筒１３に属する構成要素であるとして説明する。
電子源１５から放出された200 keV以下のエネルギーを持つ一次電子線３は、Ｃ１レンズ１６によって第一の収束点２３に収束され、後にアパーチャ２４を通過する。このとき、一次電子線３の不要な領域が除去される。Ｃ１レンズ１６を制御して一次電子線３の第一の収束点２３の位置を制御する。【００３６】
アパーチャ２４を通過した一次電子線３は、Ｃ２レンズ１７によって第二の収束点２５に収束される。Ｃ２レンズ１７を制御して一次電子線３の第二の収束点２５の位置を制御する。第二の収束点２５を通過した一次電子線３は、対物レンズ２１によって試料５０上に収束される。Ｃ２レンズ１７と対物レンズ２１の間には、二段の走査偏向器１８が配置されており、一次電子線３の試料５０上の収束点を所望の視野の範囲/倍率に応じて二次元的に走査する。【００３７】
一次電子線３の照射によって、試料からは様々なエネルギーの信号電子が発生する。ここでは、便宜上、試料が接地電位であった場合に、試料から放出された信号電子のうち、エネルギーが、約50 eV以下の信号電子を特に二次電子２６と呼ぶ。二次電子は、セミインレンズの作る磁界の影響を受け、一次電子線の光軸に巻きついて対物レンズ２１の中心穴を通過し、電子源報告に進行する。検出部Ａ用ＥｘＢ２０では二次電子２６を検出器Ａ１９方向に偏向させる。二次電子２６は検出器Ａ１９で検出する。検出器Ａ１９は、図１−１で示した電子検出器２と同じものである。ＥｘＢとは一次電子線を直進させ、極低エネルギー(< 50 eV)の電子のみを軸外に偏向させる直交電磁界発生器）である。【００３８】
バンドパス検出器では、1 keVから一次電子線の照射電圧までのエネルギー範囲をもつ信号電子のうち、導電膜の厚みに対応したエネルギーの信号電子を強調して検出する。二次電子と同様に1 keVから一次電子線の照射電圧までのエネルギー範囲をもつ信号電子も、セミインレンズの作る磁界の影響を受け、その多くが一次電子線の光軸に巻きついて対物レンズ２１の中心穴を通過し、電子源報告に進行する。【００３９】
バンドパス検出用の導電膜Ａ４３は、中心に一次電子線３の通過穴を設けた軸対称の円盤状をしており、検出部Ａ用ＥｘＢ２０とＣ２レンズ１７の間隙に一次電子線３の光軸と垂直に配置される。このとき、バンドパス検出したいエネルギーによって導電膜Ａ４３の厚みをあらかじめ決定しておく。所望のエネルギーの電子５によって発生した極低エネルギー電子６は検出部Ｂ２７で検出される。検出部Ｂ２７は図１−１で示した電子検出器２と同様の構成をしている。導電膜Ａ４３とＣ２レンズ１７の間隙には、検出部Ａ用ＥｘＢ２０と同様の働きをする検出部Ｂ用ＥｘＢ３０を設けても良い。【００４０】
検出部Ａ１９では、二次電子２６の他、低エネルギー電子４が導電膜Ａ４３の試料側の面で発生させた極低エネルギー電子２９も検出できる。特に低エネルギー電子情報のみを強調し、二次電子２６情報をカットしたい場合、遮蔽電極２８に負の電圧を印加する。このときの電圧は典型的には約-100 Vである。この場合、二次電子２６が遮蔽電界により試料方向に押し戻されるため、検出部Ａ１９では低エネルギー電子を検出できる。
【実施例２】
【００４１】
図３は、本発明の第二の実施例であり、エネルギーバンドパス電子検出器を備えた走査電子顕微鏡の全体構成を示す図である。本実施例では、中心に一次電子線３の通過穴を設けた軸対称の円盤状をした導電膜Ａ４３が一次電子線３の光軸に対して150 °以下の角度で配置されている。この方法では極低エネルギー電子６は検出部Ｂ２７方向に初速度を持つため、第一の実施例で説明した検出部Ｂ用ＥｘＢ３０を用いなくても検出が容易になる。同様に、図３のように検出器Ａ１９を配置すれば、極低エネルギー電子２９は検出部Ａ方向の初速度を持つため、検出部Ａ用ＥｘＢ２０を用いなくても検出が容易になる。
【実施例３】
【００４２】
図４は、本発明の第三の実施例であり、エネルギーバンドパス電子検出器を備えた走査電子顕微鏡の全体構成を示す図である。本実施例では、特に試料から大きい角度(高角度)で放出される電子(高角度電子)を検出するため、第一の実施例に加えて、さらにもう一系統バンドパス検出系を備えている。高角度電子のバンドパス検出用の導電膜Ｂ３１は中心に一次電子線３の通過穴を設けた軸対称の円盤状をしており、アパーチャ２４とＣ２レンズ１７の間隙に一次電子線３の光軸と垂直に配置される。このとき、バンドパス検出したいエネルギーによって導電膜Ｂ３１の厚みを決定する。所望のエネルギーの高角度電子３２によって発生した極低エネルギー電子３３は検出部Ｃ３４で検出される。検出部Ｃ３４は図１−１で示した電子検出器２と同様の構成をしている。導電膜Ｂ３１とアパーチャ２４の間隙には、検出部Ａ用ＥｘＢ２０と同様の働きをする検出部Ｃ用ＥｘＢ３５を設けても良い。【００４３】
なお、第三の実施例では、検出部Ｂ２７、検出部Ｂ用ＥｘＢ３０は必ずしも必要ではなく、その場合、Ｃ２レンズ１７より試料側ではバンドパス検出を行わないことになり、導電膜Ａ４３は50000 nm以下である必要はない。
また、Ｃ２レンズ１７より試料側の構成は図３の第二の実施例と同様であっても良い。
【実施例４】
【００４４】
図５は、本発明の第四の実施例であり、エネルギーバンドパス電子検出器を備えた走査電子顕微鏡の全体構成を示す図である。本実施例では、導電膜Ｂ３１が第二の実施例の導電膜Ａ４３と同様に傾けられている。また、第二の実施例と同様に低エネルギーの高角度電子３６が導電膜Ｂ３１の試料側の面で発生させる極低エネルギー電子３７を検出するため、検出部Ｄ３８を備えている。【００４５】
なお、第四の実施例では、検出部Ｂ２７、検出部Ｂ用ＥｘＢ３０は必ずしも必要ではなく、その場合、Ｃ２レンズ１７下ではバンドパス検出を行わないことになり、導電膜Ａ４３は50000 nm以下である必要はない。
また、Ｃ２レンズ１７より試料側の構成は図３の第二の実施例と同様であっても良い。
【実施例５】
【００４６】
図６は、本発明の第五の実施例であり、エネルギーバンドパス電子検出器を備えた走査電子顕微鏡の全体構成を示す図である。本実施例では、高エネルギーの電子７をさらにバンドパス検出するため、第一の実施例に加えて、さらにもう一系統バンドパス検出系を備えている。バンドパス検出用の導電膜Ｃ３９は中心に一次電子線３の通過穴を設けた軸対称の円盤状をしており、導電膜Ａ４３とＣ２レンズ１７の間隙に一次電子線３の光軸と垂直に配置される。このとき、バンドパス検出したい電子のエネルギーによって導電膜Ｃ３９の厚みを決定する。所望のエネルギーの高エネルギー電子７によって発生した極低エネルギー電子４０は検出部Ｅ４１で検出される。検出部Ｅ４１は図１−１で示した電子検出器２と同様の構成をしている。導電膜Ｃ３９とアパーチャ２４の間隙には、検出部Ａ用ＥｘＢ２０と同様の働きをする検出部Ｅ用ＥｘＢ４２を設けても良い。
【実施例６】
【００４７】
図７は、本発明の第六の実施例であり、エネルギーバンドパス電子検出器を備えた走査電子顕微鏡の全体構成を示す図である。本実施例では、高エネルギーの電子７を検出するため、第二の実施例に加えて、さらにもう一系統バンドパス検出系を備えている。バンドパス検出用の導電膜Ｃ３９は中心に一次電子線３の通過穴を設けた軸対称の円盤状をしており、導電膜Ａ４３とＣ２レンズ１７の間隙に一次電子線３の光軸に対して150 °以下の角度で傾けられた状態で配置される。このとき、バンドパス検出したい電子のエネルギーによって導電膜Ｃ３９の厚みを決定する。所望のエネルギーの高エネルギー電子７によって発生した極低エネルギー電子４０は検出部Ｅ４１で検出される。検出部Ｅ４１は図１−１で示した電子検出器２と同様の構成をしている。【００４８】
第五の実施例で説明した高エネルギー電子を検出する検出系である３９、４０、４１、４２の構成は、図４に示した第三の実施例の導電膜Ｂ３１(検出部Ｃ用ＥｘＢ３５を設ける場合は検出部Ｃ用ＥｘＢ３５)とアパーチャ２４の間隙に配置してもよい。その場合、導電膜Ｂ３１を通過した高角度の高エネルギー電子を検出することが可能になる。
また、第六の実施例で説明した高エネルギー電子を検出する検出系である３９、４０、４１の構成は、図５に示した第四の実施例の導電膜Ｂ３１とアパーチャ２４の間隙に配置してもよい。その場合、導電膜Ｂ３１を通過した高角度の高エネルギー電子を検出することが可能になる。
【実施例７】
【００４９】
図８は、本発明の第七の実施例であり、エネルギーバンドパス電子検出器を備えた走査電子顕微鏡の全体構成を示す図である。
図８に示した走査電子顕微鏡は、図２に示した第一の実施例と比較してアパーチャ２４とＣ２レンズ１７の位置が入れ替わっている。これは、放射角電流密度が大きい一方で、光源径が大きいタングステン熱電子銃のような電子源を用いる場合に有効な電子光学鏡筒であり、Ｃ１レンズ１６、Ｃ２レンズ１７は一次電子線３の縮小に用いられる。その他の構成は第一の実施例と同じであり、エネルギーバンドパス検出は第一の実施例と同様に行われる。この場合、導電膜Ａ４３は検出部Ａ用ＥｘＢ２０とアパーチャ２４の間隙に一次電子線３の光軸と垂直に配置される。なお、第二の実施例から第六の実施例までの走査電子顕微鏡も同様に、鏡筒が第八の実施例と同様の構成となっていてもよい。
【実施例８】
【００５０】
図９は、本発明の第八の実施例であり、エネルギーバンドパス電子検出器を備えた走査電子顕微鏡の全体構成を示す図である。
図９に示した走査電子顕微鏡は図８に示した第七の実施例からＣ２レンズが無くなった形状をしている。コンデンサレンズが一段になったため、制御がしやすいのが特徴である。
ただし、第七の実施例と比較して一次電子線３の縮小率を大きくできないため、典型的には、より光源径の小さい電界放出型の電子源を用いる。その他の構成は第一の実施例と同じであり、エネルギーバンドパス検出は第一の実施例と同様に行われる。この場合、導電膜Ａ４３は検出部Ａ用ＥｘＢ２０とアパーチャ２４の間隙に一次電子線３の光軸と垂直に配置される。なお、第二の実施例から第六の実施例までの走査電子顕微鏡も同様に、鏡筒が第八の実施例と同様の構成となっていてもよい。
【実施例９】
【００５１】
図１０は、本発明の第九の実施例であり、エネルギーバンドパス電子検出器を備えた走査電子顕微鏡の一部の構成を示す図である。
図１０に示した走査電子顕微鏡は、第一の実施例と対物レンズが異なっている。第九の実施例の対物レンズ４４は、インレンズ型をしている。この形式では、レンズ場中に試料を置く事ができるため、セミインレンズ型の対物レンズよりも高分解能観察が可能である。
エネルギーバンドパス検出は第一の実施例と同様に行われる。なお、第二の実施例から第八の実施例までの走査電子顕微鏡も同様に、対物レンズがインレンズ型であってもよい。
【実施例１０】
【００５２】
図１１は、本発明の第十の実施例であり、エネルギーバンドパス電子検出器を備えた走査電子顕微鏡の一部の構成を示す図である。
図１１に示した走査電子顕微鏡は、第一の実施例と対物レンズが異なっている。第十の実施例の対物レンズ４５は、アウトレンズ型をしている。この形式では、試料が対物レンズ４５の磁場に晒されないため、磁性体サンプルなどの観察が可能である。
第十の実施例では、これまでの実施例と異なり、試料が磁場中に置かれないため、バンドパス検出の対象となる1 keVから一次電子線の照射エネルギーまでのエネルギー幅をもつ信号電子の多くは直進する。そこで、第十の実施例では、対物レンズより試料側にバンドパス検出系を備える。第十のバンドパス検出系の構成は、図１−１の構成と同じである。【００５３】
ただし、導電膜Ａ４３は、中心に一次電子線３の通過穴を設けた軸対称の円盤状をしており、対物レンズと試料５０の間隙に一次電子線３の光軸と垂直に配置される。エネルギーバンドパス検出は、第一の実施例と同様に行われる。ただし、第十の実施例では、導電膜Ａ４３と試料の間隙の信号電子の経路には構造物は存在しない。
【実施例１１】
【００５４】
図１２は、本発明の第十二の実施例であり、エネルギーバンドパス電子検出器を備えた走査電子顕微鏡の一部の構成を示す図である。
図１２に示した走査電子顕微鏡は、第十の実施例とエネルギーバンドパス電子検出器の構成が異なっている。第十の実施例のエネルギーバンドパス電子検出器の構成は、第一の実施例の検出部Ｂ用ＥｘＢ３０から加速電極２８までの構成が対物レンズ４５と試料５０の間隙に配置された構成をしている。エネルギーバンドパス検出は、第一の実施例と同様に行われる。
【実施例１２】
【００５５】
図１３は、本発明の第十二の実施例であり、エネルギーバンドパス電子検出器を備えた走査電子顕微鏡の一部の構成を示す図である。【００５６】
図１３に示した走査電子顕微鏡は、第十の実施例とエネルギーバンドパス電子検出器の構成が異なっている。第十の実施例のエネルギーバンドパス電子検出器の構成は、第五の実施例の検出部Ｅ用ＥｘＢ４２から加速電極２８までの構成が対物レンズ４５と試料５０の間隙に配置された構成をしている。エネルギーバンドパス検出は、第五の実施例と同様に行われる。
【実施例１３】
【００５７】
図１４は、本発明の第十三の実施例であり、エネルギーバンドパス電子検出器を備えた走査電子顕微鏡の一部の構成を示す図である。
図１４に示した走査電子顕微鏡は、第十の実施例とエネルギーバンドパス電子検出器の配置が異なっている。第十三の実施例では、導電膜Ａ４３、検出部Ｃ２７が軸外に配置されている。試料と導電膜Ａ４３の間の角度は0 °から90 °の範囲であるが、検出器Ｃ２７と試料との距離は導電膜Ａ４３の信号電子があたる面と試料との距離より遠い位置に配置される。この方法では、導電膜Ａ４３は中心穴を持たなくても良い。エネルギーバンドパス検出は、第十の実施例と同様に行われる。【００５８】
第十一の実施例、第十二の実施例の対物レンズ４５から試料５０までの間隙に設けられたエネルギーバンドパス電子検出器の各構成要素も、第十三の実施例と同様に、軸外に配置されていても良い。その場合、導電膜Ａ４３、導電膜Ｃ３９は中心穴を持たなくても良い。また、導電膜Ａ４３、導電膜Ｃ３９は互いに平行でなくてもよい。ただし、それぞれ、試料５０と導電膜Ａ４３の距離より試料５０と検出部Ｃ２７との距離は大きくなければならず、試料５０と導電膜Ｃ３９の距離より試料５０と検出部Ｅ４１との距離は大きくなければならない。【００５９】
図１５には、本発明による走査電子顕微鏡において、バンドパス検出するエネルギーの可変機構について示す。
直線導入器つきのホルダ４７に、厚みの異なる複数の導電膜４６を配置する。ホルダ４７は一次電子線３に対して垂直に配置され、図示しない直線導入器により、それぞれの導電膜４６の中心穴を一次電子線３が通過する状態に送り出すことができる。各導電膜の厚みが異なっているため、ユーザーはバンドパス検出したいエネルギーによって膜厚を選ぶことができる。所望のエネルギーの電子４が変換された極低エネルギー電子６を検出する検出器は図１−１と同様である。実施例１から１３で示された導電膜Ａ４３、導電膜Ｂ３１、導電膜Ｃ３９のいずれもここで示したエネルギー可変機構を備えていても良い。【００６０】
図１６には、本発明による走査電子顕微鏡において、バンドパス検出するエネルギーの可変機構の実施例１４とは別の形態について示す。
円盤もしくは扇形のホルダ４８に、厚みの異なる複数の導電膜４６を配置する。ホルダ４８は一次電子線３に対して垂直に配置され、図示しない回転機構により、それぞれの導電膜４６の中心穴を一次電子線３が通過する状態に配置するよう回転させることができる。
各導電膜の厚みが異なっているため、ユーザーはバンドパス検出したいエネルギーによって膜厚を選ぶことができる。所望のエネルギーの電子４が変換された極低エネルギー電子６を検出する検出器は図１−１と同様である。実施例１から１３で示された導電膜Ａ４３、導電膜Ｂ３１、導電膜Ｃ３９のいずれもここで示したエネルギー可変機構を備えていても良い。【００６１】
前述の全ての実施例において、導電膜Ａ４３、導電膜Ｂ３１、導電膜Ｃ３９には、電子線が当たることによるコンタミネーションが堆積する可能性がある。コンタミネーションの堆積を抑制するには、各導電膜を200℃以下に保てばよい。前述の全ての実施例では、導電膜の過熱のための手段を備えても良い。【００６２】
前述の実施例で、複数の検出部を備えた走査電子顕微鏡においては、別々の検出部から得られる複数の信号から一つの信号を得る演算手段を備えても良い。例えば、図６に示した第五の実施例では、検出部Ｂ２７で得られる信号が所望のエネルギーの強度に依存した信号であるが、その信号から、検出部Ｅ４１で得られる高エネルギー電子の信号を減ずれば、検出部Ｂ２７に若干でも混入する可能性がある高エネルギー電子の情報を減ずることができる。【００６３】
前述の全ての実施例は走査電子顕微鏡に関するものであったが、本発明は走査電子顕微鏡に限定されるものではない。例えば、透過電子顕微鏡において、試料より電子銃側に本発明の検出器を配置すれば、透過電子像観察と同時に試料から電子銃側に発生する電子に関するエネルギーバンドパス検出を行うことができる。また、走査透過電子顕微鏡において、試料より電子銃側に本発明の検出器を配置すれば、走査透過電子像観察と同時に試料から電子銃側に発生する電子に関するエネルギーバンドパス画像を得ることができる。
【実施例１４】
【００６４】
図１７は、本発明の第十四の実施例であり、エネルギーバンドパス電子検出器を備えた走査電子顕微鏡の一部の構成を示す図である。【００６５】
図１７に示した走査電子顕微鏡は、試料室内が典型的には10〜1000 Paの低真空にたもたれた低真空走査電子顕微鏡である。低真空走査電子顕微鏡では、試料室内部は図示しない真空排気系により、10〜1000 Paに保たれる。電子光学鏡筒１３より上流では低真空雰囲気による一次電子線の散乱の影響を低減するため、0.1 Paより高真空に保つ必要があり、そのために電子光学鏡筒１３と試料室の間隙に差動排気オリフィス２００を設ける。【００６６】
図１７に示した走査電子顕微鏡では、図１−１〜１４までの実施例と電子検出器部分が異なっている。本実施例の検出器は、100〜500 Vの正の電圧を印加する電界供給電極２０２、電界供給電極用電源２０１および、導電膜１に電気的に接続された電流増幅器２０３を備える。検出器の感受面に相当する電界供給電極２０２は、板状もしくはメッシュ状の電極であり、導電膜１に対して90 °の角度をもって配置される。導電膜１は電界供給電極２０２より低い電位に保たれるが、一般的には電界供給電極の電位は設置電位である。
かかる構成により、低真空走査電子顕微鏡でもエネルギーバンドパス電子検出器が実現される。【００６７】
本実施例では、低真空雰囲気下で、所望のエネルギーの電子５を以下のように検出する。
所望のエネルギーの電子５は先述した実施例で述べたものと同様に、導電膜１の試料５０と反対の面から極低エネルギー(数 eV)の電子６を発生させる。極低エネルギー電子６は、電界供給電極２０２の供給する電界によって、電界供給電極２０２の報告に加速される。この際に、極低エネルギー電子６は低真空雰囲気のガス分子と散乱し、一定の確率でガス分子をイオン化する。これにより発生したイオン２０４は、電界供給電極２０２に比べて低電位である導電膜１に向って移動する。その結果、極低エネルギー電子６の移動とイオン２０４の移動が原因となり、導電膜１に接続された電流増幅器２０３には変位電流(displacement current)が流れる。この変位電流は、極低エネルギー電子６の発生量、ひいては所望のエネルギー電子５の発生量に比例しており、変位電流を電流増幅器２０３によって増幅することで、所望のエネルギー電子５を信号元とする走査電子顕微鏡画像が得られる。【００６８】
導電膜１と電界供給電極２０２の角度は90 °に限定されるものではない。図１−２、図１−３、図１−４に示した実施例と同様に、配置のバリエーションがあっても良い。各バリエーションの効果は、先述した実施例で述べたものと同様である。
【実施例１５】
【００６９】
図１８は、本発明の第十五の実施例であり、図１７の実施例の別形態である。図１８の実施例は、図１７の実施例と同様の低真空走査電子顕微鏡であり、図１１に示した第十の実施例から、ExB３０、検出部B２７を除き、図示しない試料室を低真空化する真空排気系、差動排気オリフィス２００、電界供給電極用電源２０１、電界供給電極２０２、および、導電膜１に電気的に接続された電流増幅器２０３を追加した形態をしている。
検出原理は図１７の実施例と同様であり、かかる構成により、検出立体角を大きくすることができる。
【実施例１６】
【００７０】
図１９は、本発明の第十六の実施例であり、図１７の実施例の別形態である。図１９の実施例は、図１７の実施例と同様の低真空走査電子顕微鏡であり、図１４に示した第十三の実施例から、ExB３０、検出部B２７を除き、図示しない試料室を低真空化する真空排気系、差動排気オリフィス２００、電界供給電極用電源２０１、電界供給電極２０２、および、導電膜１に電気的に接続された電流増幅器２０３を追加した携帯をしている。
検出原理は図１７の実施例と同様であり、かかる構成により、試料直上の空間を別検出器に与えることが可能となる。【００７１】
図１７〜図１９の第十四から第十六の実施例では、電流増幅器２０３は電界供給電極２０２に接続されていてもかまわない。この場合、得られる信号電流は、電流増幅器２０３が導電膜１に接続されていた場合と極性が逆になるが、値はほぼ同じである。また、この場合、電流増幅器２０３にはフローティング機構が必要になる。この場合には、導電膜の厚みを変更する際に、電流増幅器２０３の接続をやり直す必要がないという利点がある。
【符号の説明】
【００７２】
１…導電膜、２…電子検出器、３…一次電子線、４…低エネルギー電子、５…所望のエネルギー電子、６…極低エネルギー(数 eV)の電子、７…高エネルギー電子、８…メッシュ電極、９…シンチレータ、１０…ライトガイド、１１…光電子増倍器、１２…加速電極、１３…電子光学鏡筒、１４…試料室、１５…電子源、１６…Ｃ１レンズ、１７…Ｃ２レンズ、１８…二段走査偏向器、１９…検出器Ａ、２０…検出部Ａ用ＥｘＢ、２１…セミインレンズ型対物レンズ、２３…一次電子線の第一の収束点、２４…アパーチャ、２５…一次電子線の第二の収束点、２６…二次電子、２７…検出部Ｂ、２８…遮蔽電極、２９…低エネルギー電子起源の極低エネルギー電子、３０…検出部Ｂ用ＥｘＢ、３１…導電膜Ｂ、３２…所望のエネルギーの高角度電子、３３…所望のエネルギーの高角度電子起源の極低エネルギー電子、３４…検出部Ｃ、３５…検出部Ｃ用ＥｘＢ、３６…低エネルギーの高角度電子、３７…低エネルギーの高角度電子起源の極低エネルギー電子、３８…検出部Ｄ、３９…導電膜Ｃ、４０…高エネルギー電子起源の極低エネルギー電子、４１…検出部Ｅ、４２…検出部Ｅ用ＥｘＢ、４３…導電膜Ａ、４４…インレンズ型対物レンズ、４５…アウトレンズ型対物レンズ、４６…厚みの異なる複数の導電膜、４７…厚みの異なる複数の導電膜のホルダ、４８…厚みの異なる複数の導電膜の円盤もしくは扇形のホルダ、４９…試料台、５０…試料、１０１…導電膜１通過後の高エネルギー電子の軌道、２００…差動排気オリフィス、２０１…電界供給電極用電源、２０２…電界供給電極、２０３…電流増幅器、２０４…イオン。
【図１−１】
0005576406.tif 000002
【図１−２】
0005576406.tif 000003
【図１−３】
0005576406.tif 000004
【図１−４】
0005576406.tif 000005
【図２】
0005576406.tif 000006
【図３】
0005576406.tif 000007
【図４】
0005576406.tif 000008
【図５】
0005576406.tif 000009
【図６】
0005576406.tif 000010
【図７】
0005576406.tif 000011
【図８】
0005576406.tif 000012
【図９】
0005576406.tif 000013
【図１０】
0005576406.tif 000014
【図１１】
0005576406.tif 000015
【図１２】
0005576406.tif 000016
【図１３】
0005576406.tif 000017
【図１４】
0005576406.tif 000018
【図１５】
0005576406.tif 000019
【図１６】
0005576406.tif 000020
【図１７】
0005576406.tif 000021
【図１８】
0005576406.tif 000022
【図１９】
0005576406.tif 000023